(57)【要約】
【課題】  便利に加工し、安定して取り付け、電磁気波の干渉を排除できるメモリカードコネクタの接地構造の設計を提供する。
【解決手段】  一つの絶縁ベース１は、絶縁材を使って一体成型で製造されたメモリカードを挿入可能であるベースである。絶縁ベース１の上に複数個の端子スロット１１が後端まで伸びて設けられ、各端子スロット１１の中にそれぞれ接続端子１２が設けられている。接続端子１２の後段の溶接端１２１を絶縁ベース１の後方に露出させるが、その前段の接続端１２２はちょうど絶縁ベース１にあるので、メモリカードと接触して導通可能である。一つの金属カバー２は、絶縁ベース１の上を覆う冂形状の金属プレートである。１枚の接地プレート３は、絶縁ベース１に設けられ、それを電気回路ボードに溶接することで、接地金属プレートが構成される。
【選択図】    図１
0003101071.tif 000002
【実用新案登録請求の範囲】
【請求項１】
メモリカードコネクタの接地構造であって、
一つの絶縁ベースがあり、それは絶縁材を使って一体成型で製造されたメモリカードを挿入可能であるベースであり、ベースの上に複数個の端子スロットが後端まで伸びて設けられ、各端子スロットの中にそれぞれ接続端子が設けられ、接続端子の後段の溶接端は絶縁ベースの後方に露出しており、その前段の接続端はちょうど絶縁ベースにあり、メモリカードと接触して導通可能であり、
一つの金属カバーがあり、それは絶縁ベースの上を覆う冂形状の金属プレートであり、１枚の接地プレートがあり、それは絶縁ベースに設けられ、それを電気回路ボードに溶接することで、接地金属プレートが構成され、
絶縁ベースがあり、その二つ側壁の前段にそれぞれ一つのＴ形状の垂直インサートスロットを設けることで、インサートスロットはより広く設置部及び外側開口部が得られ、設置部の内側壁に垂直に一つのキャッチスロットが設けられ、キャッチスロットの下段に一つのフックコンケーブ部が設けられ、キャッチスロットの上端に一つの傾きガイド面が設けられ、キャッチスロットの上端に一つのフックブロック構造が形成され、金属カバーがあり、それは二つの側壁の前段に一つの垂直して下へ向かう挿入固定プレートが曲げて設けられ、挿入固定プレートの内面に一つの凸粒が設けられ、接地プレートがあり、それは一つの垂直形状の本体があり、本体の上端から外部へ２枚のフック固定プレートが曲げて設けられ、その下端に１枚の溶接プレートが曲げて設けられ、
接地プレートを絶縁ベースのインサートスロットにそれぞれ挿入して設けることで、接地プレートの本体が設置部の中に収容され、フック固定プレートは開口部の二つの側壁の上縁に押され、溶接プレートはちょうど絶縁ベースの底面にあり、それは開口部に突出して伸び、金属カバーを絶縁ベースに覆って設けて、挿入プレートを絶縁ベースのキャッチスロットの中に挿入させることで、内面凸粒がフックブロックでフックコンケーブ部にキャッチされて固定され、挿入固定プレートの外部を接地プレートと緊密に接触させることで、構成されていることを特徴とするメモリカードコネクタの接地構造。
【請求項２】
絶縁ベースの二つの側壁の前後の外側面に、それぞれ１個のリバースフックブロックが設けられ、金属カバーをフックして取り付けられることを特徴とする請求項１記載のメモリカードコネクタの接地構造。
【請求項３】
金属カバーの二つの側壁の後方に、１個のフックホールが設けられ、その前方に１枚のフックプレートが設けられ、その中の一つの側壁を選定して、その上に横へ伸び、内部にアークの形状で突出する弾性プレートが設けられていることを特徴とする請求項１記載のメモリカードコネクタの接地構造。
【考案の詳細な説明】
【技術分野】
【０００１】
本考案は、メモリカードコネクタの接地構造に関するものである。特に、メモリカードを挿入して設けることで、情報及びデータを接続及び送信できるメモリカードコネクタの接地構造の改良設計を指す。それにより、便利で加工できるし、安定して取り付けられる。更に、電磁気波を防止できる効果が得られるのである。
【背景技術】
【０００２】
基本的にいずれの電子ユニットを運転する場合、すべてその他の電子ユニットに電磁気干渉（Electromagnetic  Interference，ＥＭＩ）を生じるか、その他の電子製品の電磁気に干渉される。しかも、電子ユニットの種類がますます多くなったので、いつのまにか発射された電磁気波もますます高くなった。その出所は微処理器、電気回路のスイッチ、静電気の放電、発射器、仮状態電源ユニット、電源及び電撃などがある。電磁気干渉は完全に除去できないが、通常適切な接地（grounding）、遮蔽（shielding）及びフィルタリング（filtering）を利用して、その干渉をできるだけ低下させることで、電磁場適合性（ＥＭＣ）の設計目標に合致できるのである。
【０００３】
従来のメモリカードコネクタにも若干の接地構造を設けることで、上述の電磁場適合性（ＥＭＣ）の設計目標を達成させる。従来のメモリカードコネクタの接地構造は、一つの絶縁ベースの上が１枚の冂形状の鉄のプレートに覆われたものであり、冂形状の鉄のプレートを利用して、挿入するメモリカードに遮蔽及びリミットを行い、冂形状の鉄のプレートの両側に一体成型された接地プレートの構造を設けてあるので、接地プレートを絶縁ベースを通して電気回路ボードと溶接することで、接地（grounding）の効果が得られるが、従来冂形状の鉄のプレートの表面にニッケルメッキの錆防止処理を行いながら、接地プレートに銅メッキを行うことで、伝導性及び溶接の安定性を増加するので、メッキ加工の実施は便利にならない。又、接地プレートと鉄プレートとを別々成型した後、メッキ加工を実施しなければならないが、組み立てる場合、簡単な方式で二つを導通することが必要であるので、逆に組み立てのコストを増加させるし、簡単な組み立てを行う場合にも安定して組み立てる効果が必要なので、上述の構造の設計に特別な企画設計が必要である。
【考案の開示】
【考案が解決しようとする課題】
【０００４】
本考案の主要な目的は、メモリカードコネクタの接地構造の設計を提供するものである。それは、接地プレート及び金属カバーをそれぞれ製造すること及びその取り付ける構造関係の設計により、便利に加工し、安定して取り付け、電磁気波の干渉を排除できる効果が得られるのである。
【課題を解決するための手段】
【０００５】
上述の目的により、本考案は絶縁ベースの前段の二つ側壁にそれぞれ一つのＴ形状の垂直インサートスロットを設けて、スロットの内側壁に垂直に一つのキャッチスロットが設けられ、キャッチスロットの下段に一つのフックコンケーブ部が設けられるが、キャッチスロットの上段に一つの傾きガイド面を設けることで、接地プレートをＴ形状の垂直インサートスロットの中に設けられるので、その上端にあるフックプレートによる脱落を防止できる。更に、１個の両側に挿入固定プレートのある金属カバーが絶縁ベースを覆うことで、挿入固定プレートをキャッチスロットに挿入して固定させ、挿入固定プレートをちょうど接地プレートと接触して導通させるのである。
【０００６】
メモリカードコネクタの接地構造に関するものである。それは、絶縁ベースの前段の二つ側壁にそれぞれ一つのＴ形状の垂直インサートスロットを設けてあり、スロットの内側壁に垂直でキャッチスロットが設けられ、キャッチスロットの下段に一つのフックコンケーブ部が設けられるが、キャッチスロットの上段に一つの傾きガイド面を設けることで、接地プレートをＴ形状の垂直インサートスロットの中に設けられるので、その上端にあるフックプレートによる脱落を防止できる。更に、１個の両側に挿入固定プレートのある金属カバーが絶縁ベースを覆うことで、挿入固定プレートをキャッチスロットに挿入して固定させ、挿入固定プレートをちょうど接地プレートと接触して導通できるので、それにより、便利に加工し、安定して取り付け、電磁気波の干渉を排除できるメモリカードコネクタの接地構造が形成されるのである。
【考案を実施するための最良の形態】
【０００７】
図１〜図３の通り、本考案は『メモリカードコネクタの接地構造』の設計に関するものである。本考案の一実施例によるメモリカードコネクタの接地構造は、一つの絶縁ベース１、一つの金属カバー２及び接地プレート３で構成されている。その中に、絶縁ベース１があり（図１〜図４の通り）、それは、プラスチックなどの絶縁材を使って一体成型で製造されたメモリカード（Flash  Memory  Card）を挿入できる長方形のベースであり、ベースの上に複数個の端子スロット１１が後端まで伸びて設けられている。各端子スロット１１の中にそれぞれ一つの接続端子１２が設けられ、接続端子１２の後段の溶接端１２１を絶縁ベース１の後方に露出させるが、その前段の接続端１２２はちょうど絶縁ベース１にあるので、メモリカードと接触して導通できるが、本実施例は絶縁ベース１の二つ側壁の前段にそれぞれ一つのＴ形状の垂直インサートスロット１４（図５の通り）を設けることで、インサートスロット１４がより広く設置部１４１及び外側開口部１４２を得られ、インサートスロット１４の設置部１４１の内側壁に垂直に一つのキャッチスロット１５が設けられ、キャッチスロット１５の下段に一つのフックコンケーブ部１５１が設けられるが、キャッチスロット１５の上端に一つの傾きガイド面１５２を設けることで、キャッチスロット１５の上端に一つのフックブロック１５３構造が形成されるので、インサートスロット１４及びキャッチスロット１５に下記の金属カバー２及び接地プレートを安定に取り付けられるのである。又、本実施例は別に二つ側壁１３の前後の外側面にそれぞれ１個のリバースフックブロック１６又はリバースフックブロック１７を設けて、キャッチスロット１５に合わせて、金属カバー２が覆って取り付けられたのである。
【０００８】
金属カバー２があり（図１及び図６の通り）、それは絶縁ベースの上に覆ってあり、その表面にニッケルメッキされた冂形状の金属プレートがある。それを絶縁ベース１と合わせて、メモリカード（Flash  Memory  Card）をリミット設置することを提供するが、その選定された二つ側壁２１の後端に１個のフックホール２２が設けられ、二つの側壁の前端に一つの垂直して下へ向かう挿入固定プレート２３が曲げて設けられ、それぞれの挿入固定プレート２３の内面に一つの凸粒２３１が設けてあり、各挿入固定プレート２３の前方に１枚のフックプレート２４が設けられている。更に、その中での一つの側壁２１を選定して、その上に横へ伸び、内部にアークの形状で突出する弾性プレート２５を設けることで、遮蔽、接地及び電磁気干渉を防止する金属カバーが構成されるのである。
【０００９】
接地プレート３があり（図１及び図６の通り）、それを電気回路ボードの上に溶接して接地を構成することで、金属カバー２と接触する。更に、その表面には銅メッキ又は金メッキされた金属プレートがある。それは、一つの垂直形状の長方形本体３１があり、本体３１の上端から外部へ２枚のフック固定プレート３２が曲げて設けられ、本体３１の下端に１枚の溶接プレート３３が曲げて設けられているのである。
【００１０】
上述により（図６及び図７をご参照ください）、接地プレート３を絶縁ベース１のインサートスロット１４にそれぞれ挿入して設けることで、本体３１を設置部１４１の中に入れさせるが、フック固定プレート３２は開口部１４２の二つの側壁の上縁に押される。更に、溶接プレート３３はちょうど絶縁ベース１の底面にあり、それが開口部１４２に突出して伸びることで、接地プレート３を固定して、下へ脱落することを防止できる。又、金属カバー２を絶縁ベース１に覆って設けて、フックホール２２およびフックプレート２４を絶縁ベース１とフックして接続させる以外、挿入固定プレートが傾きガイド面１５２のガイドによる絶縁ベース１にあるキャッチスロット１５に挿入できるので、内面凸粒２３１がフックブロック１５３でフックコンケーブ１５１にキャッチされて固定されている。それにより、挿入固定プレート２３の外部は接地プレート３と緊密に接触するので、接地プレート３及び金属カバー２に脱落防止の機能を持たせる。それにより、メモリカードコネクタの接地構造が構成されているのである。
【００１１】
本実施例の上述の接地構造の設計を運用する場合、金属カバー２及び接地プレート３はそれぞれプレスで成型されたので、それぞれ金属カバー２のニッケルメッキ及び接地プレート３の銅又は金メッキの加工手順を行える。そのため、従来の鉄のプレートを同時にニッケルメッキ及び銅メッキを行う場合の困難及び不便などの欠点を避けられる。特に、本実施例のインサートスロット１４ 、キャッチスロット１５、金属カバー２の挿入固定プレート２３及び接地プレート３の構造、形状特徴及びその取り付ける関係の設計を運用すれば、簡単に接地プレート３をインサートスロット１４と取り付けることで、脱落を防止できる。更に、簡単に金属カバー２の挿入固定プレート２３をキャッチスロット１５と取り付けることで、脱落を防止できる。又、挿入固定プレート２３を相互に緊密に接触させることで、簡単に穏やかに接地効果（grounding）のあるメモリカードコネクタの接地構造が構成される。更に 電磁場適合性（ＥＭＣ）の目標を合致させるのである。
【図面の簡単な説明】
【００１２】
【図１】本考案の一実施例によるメモリカードコネクタの接地構造を示す分解斜視図である。
【図２】本考案の一実施例によるメモリカードコネクタの接地構造の上面を示す斜視図である。
【図３】本考案の一実施例によるメモリカードコネクタの接地構造の下面を示す斜視図である。
【図４】本考案の一実施例によるメモリカードコネクタの接地構造の絶縁ベースを示す上面図である。
【図５】本考案の一実施例によるメモリカードコネクタの接地構造のインサートスロットとキャッチスロットを示す斜視図である。
【図６】本考案の一実施例によるメモリカードコネクタの接地構造の分解状態を示す斜視図である。
【図７】本考案の一実施例によるメモリカードコネクタの接地構造の分解状態を示す断面図である。
【符号の説明】
【００１３】
１  絶縁ベース、２  金属カバー、３  接地プレート、１１  端子スロット、１２  接続端子、１３  側壁、１４  インサートスロット、１５  キャッチスロット、１６  リバースフックブロック、１７  リバースフックブロック、２１  側壁、２２  フックホール、２３  挿入固定プレート、２４  フックプレート、２５  弾性プレート、３１  本体、３２  フック固定プレート、３３  溶接プレート、１２１  溶接端、１２２  接続端、１４１  設置部、１４２  開口部、１５１  フックコンケーブ部、１５２  傾きガイド面、１５３  フックブロック、２３１  凸粒
【図１】
0003101071.tif 000003
【図２】
0003101071.tif 000004
【図３】
0003101071.tif 000005
【図４】
0003101071.tif 000006
【図５】
0003101071.tif 000007
【図６】
0003101071.tif 000008
【図７】
0003101071.tif 000009